Podtech/llm-jp-corpus-v4-ja_patent huggingface dataset:
【手続補正書】
【提出日】平成21年8月28日(2009.8.28)
【手続補正１】
【補正対象書類名】特許請求の範囲
【補正対象項目名】全文
【補正方法】変更
【補正の内容】
【特許請求の範囲】
【請求項１】
遊技に関する所定の制御を司る制御手段と、
前記制御手段を被包する被包手段と、
前記被包手段を支持し開閉可能な支持部材と、
前記支持部材が取り付けられる本体部材と、
前記支持部材とは別個に、当該支持部材の軸側において前記本体部材と前記被包部材とに連結されることにより、前記被包部材の開閉動作を許容しつつ当該遊技機からの前記被包部材の分離を規制する接続部材と
を備えたことを特徴とする遊技機。
【請求項２】
請求項１に記載の遊技機において、
前記接続部材はケーブル状を成し、
一端部が前記本体部材に形成された挿入孔に挿入されることにより前記本体部材と連結され、他端部が前記被包部材の内部に収容されて当該被包部材と連結され、
前記一端部と前記他端部との間に、他の部位よりも脆弱な脆弱部が形成されている
ことを特徴とする遊技機。
【請求項３】
請求項２に記載の遊技機において、
前記本体部材は、前記接続部材が前記脆弱部によって切断された場合、前記接続部材のうち前記本体部材の挿入孔に挿入されている部位を所定箇所に移動させる案内手段を備えていることを特徴とする遊技機。
【手続補正書】
【提出日】平成20年12月4日(2008.12.4)
【手続補正１】
【補正対象書類名】特許請求の範囲
【補正対象項目名】全文
【補正方法】変更
【補正の内容】
【特許請求の範囲】
【請求項１】
複数の図柄を表示する図柄表示手段と、遊技者による開始操作の検出を行う開始操作検出手段と、この開始操作検出手段により行われる開始操作の検出に基づいて所定の乱数範囲の中から乱数を抽出する乱数抽出手段と、前記所定の乱数範囲に含まれる数値範囲の下限値および上限値を複数の当選役毎に規定する抽選値規定手段と、前記乱数抽出手段により抽出された乱数の値を前記複数の当選役毎に規定された前記下限値と前記上限値との双方と比較して前記乱数抽出手段により抽出された乱数が前記数値範囲に属するか否かを前記複数の当選役毎に判別する乱数値判別手段と、この乱数値判別手段により前記乱数抽出手段により抽出された乱数が前記数値範囲に属すると判別された場合にはその数値範囲に応じた当選役を決定する当選役決定手段と、前記開始操作検出手段により行われる開始操作の検出に基づいて前記図柄表示手段により表示される図柄の変動を行う図柄変動手段と、遊技者による停止操作の検出を行う停止操作検出手段と、この停止操作検出手段により行われる停止操作の検出と前記当選役決定手段により決定される当選役とに基づき前記図柄変動手段により行われる図柄の変動の停止制御を行う停止制御手段と、この停止制御手段による停止制御の結果前記図柄表示手段により予め定められた図柄組合せが停止表示されると遊技価値を付与する遊技価値付与手段とを備え、
前記抽選値規定手段は、所定の当選役に応じた前記数値範囲と前記所定の当選役とは異なる他の当選役に応じた前記数値範囲とを一部において重複させ、
前記当選役決定手段は、前記乱数抽出手段で抽出された乱数が前記乱数値判別手段により前記所定の当選役に応じた前記数値範囲に属すると判定され、かつ前記他の当選役に応じた前記数値範囲に属すると判定された場合に、前記所定の当選役および前記他の当選役を当選役として決定することを特徴とする遊技機。
【請求項２】
前記図柄表示手段は、前記複数の図柄が外周面に描かれた複数のリールと、これら複数のリールの各々について前記複数の図柄の一部を表示する表示窓とからなり、
前記所定の当選役に対応する図柄組合せを構成する図柄と前記他の当選役に対応する図柄組合せを構成する図柄とは、前記複数のリールの少なくとも一のリールにおいて、前記表示窓に同時に表示させないように構成されていることを特徴とする請求項１に記載の遊技機。
【手続補正２】
【補正対象書類名】明細書
【補正対象項目名】０００７
【補正方法】変更
【補正の内容】
【０００７】
このために本発明は、複数の図柄を表示する図柄表示手段と、遊技者による開始操作の検出を行う開始操作検出手段と、この開始操作検出手段により行われる開始操作の検出に基づいて所定の乱数範囲の中から乱数を抽出する乱数抽出手段と、所定の乱数範囲に含まれる数値範囲の下限値および上限値を複数の当選役毎に規定する抽選値規定手段と、乱数抽出手段により抽出された乱数の値を複数の当選役毎に規定された下限値と上限値との双方と比較して乱数抽出手段により抽出された乱数が数値範囲に属するか否かを複数の当選役毎に判別する乱数値判別手段と、この乱数値判別手段により乱数抽出手段により抽出された乱数が数値範囲に属すると判別された場合にはその数値範囲に応じた当選役を決定する当選役決定手段と、開始操作検出手段により行われる開始操作の検出に基づいて図柄表示手段により表示される図柄の変動を行う図柄変動手段と、遊技者による停止操作の検出を行う停止操作検出手段と、この停止操作検出手段により行われる停止操作の検出と当選役決定手段により決定される当選役とに基づき図柄変動手段により行われる図柄の変動の停止制御を行う停止制御手段と、この停止制御手段による停止制御の結果図柄表示手段により予め定められた図柄組合せが停止表示されると遊技価値を付与する遊技価値付与手段とを備え、
抽選値規定手段は、所定の当選役に応じた数値範囲と所定の当選役とは異なる他の当選役に応じた数値範囲とを一部において重複させ、
当選役決定手段は、乱数抽出手段で抽出された乱数が乱数値判別手段により所定の当選役に応じた数値範囲に属すると判定され、かつ他の当選役に応じた数値範囲に属すると判定された場合に、所定の当選役および他の当選役を当選役として決定することを特徴とする遊技機を構成した。
【手続補正３】
【補正対象書類名】明細書
【補正対象項目名】０００８
【補正方法】変更
【補正の内容】
【０００８】
この構成によれば、所定の当選役に応じた数値範囲とこの所定の当選役とは異なる他の当選役に応じた数値範囲とが一部において重複して規定されているので、乱数抽出手段により抽出された乱数がこの重複した数値範囲に属すると、各数値範囲に応じた所定の当選役と他の当選役との複数の当選役が決定される。このため、１つの乱数値および１つの抽選値規定手段のみを用いて、一度に複数の当選役を決定することが可能な新たな当選役の抽選方式を提供することができる。また、抽選値規定手段を複数設ける必要がないので、ハードウエア資源を増加させる必要もない。
【手続補正４】
【補正対象書類名】明細書
【補正対象項目名】００１１
【補正方法】変更
【補正の内容】
【００１１】
また、本発明は、図柄表示手段は、複数の図柄が外周面に描かれた複数のリールと、これら複数のリールの各々について複数の図柄の一部を表示する表示窓とからなり、
所定の当選役に対応する図柄組合せを構成する図柄と他の当選役に対応する図柄組合せを構成する図柄とは、複数のリールの少なくとも一のリールにおいて、表示窓に同時に表示させないように構成されていることを特徴とする。
【手続補正５】
【補正対象書類名】明細書
【補正対象項目名】００１２
【補正方法】削除
【補正の内容】
【手続補正書】
【提出日】平成21年3月30日(2009.3.30)
【手続補正１】
【補正対象書類名】特許請求の範囲
【補正対象項目名】全文
【補正方法】変更
【補正の内容】
【特許請求の範囲】
【請求項１】
外鼻孔内に装着可能であって、この外鼻孔から鼻腔前庭の内部に至る長さ寸法を有し、内視鏡の挿入部が挿通可能な挿通路を形成した保護具本体と、
前記保護具本体に設けられ、鼻腔の内部に埋入されるのを防止するストッパ部と、外鼻孔からの脱落を防止する脱落防止部と
を備えた経鼻挿入式内視鏡用着鼻保護具。
【請求項２】
前記保護具本体はクッション性のある軟質プラスチックまたはゴムで形成する構成としたことを特徴とする請求項１記載の経鼻挿入式内視鏡用着鼻保護具。
【請求項３】
前記保護具本体は自己潤滑性のある材料で形成する構成としたことを特徴とする請求項２記載の経鼻挿入式内視鏡用着鼻保護具。
【請求項４】
前記保護具本体の先端側には、その端部から前記挿通孔の軸線に沿う方向に所定の長さ分だけスリットを複数箇所設ける構成としたことを特徴とする請求項１乃至請求項３のいずれかに記載の経鼻挿入式内視鏡用着鼻保護具。
【請求項５】
前記挿通路は、入口側が拡開する通路から構成したことを特徴とする請求項１乃至請求項４のいずれかに記載の経鼻挿入式内視鏡用着鼻保護具。
【請求項６】
前記ストッパ部は前記保護具本体に連設したフランジ部からなり、このフランジ部の外径は外鼻孔より大きい寸法を有するものであることを特徴とする請求項１乃至請求項５のいずれかに記載の経鼻挿入式内視鏡用着鼻保護具。
【請求項７】
前記フランジ部は左右への張り出し部から構成され、この張り出し部は着鼻状態でサジカルテープを用いて固定可能な構成としたことを特徴とする請求項６記載の経鼻挿入式内視鏡用着鼻保護具。
【請求項８】
前記フランジ部は、前記挿通路を設けた部位に交換可能な構成としたことを特徴とする請求項６記載の経鼻挿入式内視鏡用着鼻保護具。
【請求項９】
前記ストッパ部は両外鼻穴に挿入可能な左右２箇所の挿通路を連結片で連結することにより構成したことを特徴とする請求項１乃至請求項５のいずれかに記載の経鼻挿入式内視鏡用着鼻保護具。
【請求項１０】
前記脱落防止部は、前記保護具本体の外周面に形成した膨出部から構成したことを特徴とする請求項１乃至請求項９のいずれかに記載の経鼻挿入式内視鏡用着鼻保護具。
【請求項１１】
前記脱落防止部は、前記保護具本体に連結して設けた弾性部材からなるクリップ部から構成したことを特徴とする請求項１乃至請求項９のいずれかに記載の経鼻挿入式内視鏡用着鼻保護具。
【請求項１２】
前記脱落防止部は、前記保護具本体の外周面に設けられ、空気の給排により拡縮可能なバルーンから構成したことを特徴とする請求項１乃至請求項９のいずれかに記載の経鼻挿入式内視鏡用着鼻保護具。
【請求項１３】
前記脱落防止部は、前記保護具本体に連結して設けられ、左右に張り出したフランジ部に連結して設けたバンドから構成したことを特徴とする請求項１乃至請求項９のいずれかに記載の経鼻挿入式内視鏡用着鼻保護具。
【手続補正２】
【補正対象書類名】明細書
【補正対象項目名】０００９
【補正方法】変更
【補正の内容】
【０００９】
保護具本体は、装着時や挿入部の挿入操作時に作用する外力の緩衝作用を発揮させるために、ある程度の保形性を有し、しかもクッション性のある軟質プラスチックで形成することもできる。しかも、耐熱性の良好な材料を用いることによって、滅菌可能な、つまり耐薬品性または耐オートクレーブ性のある材料、例えばシリコンゴムやフッ素ゴム等で形成することができる。ただし、挿通路の形状は安定していなければならない。従って、挿通路を構成する部分は変形しない硬さを持たせるために、金属や硬質プラスチック等で形成し、周囲は軟質プラスチック，ゴム等で覆う構成としても良い。そして、着鼻保護具においては、挿入部の挿通路を形成した保護具本体と、ストッパ部及び脱落防止部とを備える構成している。
【手続補正３】
【補正対象書類名】図面
【補正対象項目名】図１２
【補正方法】変更
【補正の内容】
【図１２】
2006326063.tif 000001
【手続補正書】
【提出日】平成21年5月19日(2009.5.19)
【手続補正１】
【補正対象書類名】特許請求の範囲
【補正対象項目名】全文
【補正方法】変更
【補正の内容】
【特許請求の範囲】
【請求項１】
ハウジング、
固定要素の締め付けと緩めるために取り付けられ、軸方向外側に突出するアンビルを含む出力軸、
前記出力軸を駆動するため前記ハウジングの中に設けられたモータ、
前記モータにより駆動されるよう構成され、前記アンビルから離れるように軸方向に付勢されている少なくとも一つのハンマー、および
前記出力軸に打撃を伝えるために前記アンビルを打つように前記ハンマーを駆動するためのクラッチ機構を具備するロータリーインパクトツールであって、
前記クラッチ機構は、出力軸が無負荷のとき前記ハンマーが前記アンビルを打つように配置されておらず、そして出力軸に負荷が加わっているとき、前記ハンマーが前記アンビルを間欠的に打つために移動するように、前記出力軸に接続されており、前記クラッチ機構がカムボールとカムフォロアとを含み、前記カムフォロアが前記カムフォロアの表面に沿って移動する前記カムボールのための軌道を有し、前記軌道が先の尖った頂上に延びるランプを有しており、前記ランプは前記頂上に向かって角度が増大する傾斜面を有しており、それにより、前記出力軸が無負荷のとき、前記カムボールの頂上を越える移動を阻止するために、前記カムボールが頂上に近づくにつれて、前記カムボールの移動に対する抵抗を増大させ、前記出力軸に負荷が加わっているとき、前記カムボールが頂上を越えて移動し、前記カムフォロアと前記ハンマーを前記アンビルに向かって軸方向前側に押圧して、前記ハンマーがアンビルを打つように、前記ランプが形成されており、
前記カムフォロアは、前記ハンマーが前記アンビルと合わずに間欠的に停止して、前記ハンマーが前記アンビルと合う位置に向かって移動する前に、前記ハンマーと前記アンビルとの間の係合状態を提供するよう形成されたロータリーインパクトツール。
【請求項２】
前記ランプが、一定の曲率半径を有する円弧に沿って延びるよう形成された請求項１に記載のロータリーインパクトツール。
【請求項３】
前記ランプの曲率半径が、約８ｍｍである請求項２に記載のロータリーインパクトツール。
【請求項４】
前記軌道が、前記ランプから前記頂上の反対側に前記頂上から延びる下り坂部分をさらに具備する請求項１に記載のロータリーインパクトツール。
【請求項５】
前記軌道の前記下り坂部分が前記軌道の前記ランプに対して非対称である形状を有している請求項４に記載のロータリーインパクトツール。
【請求項６】
前記下り坂部分が実質的に一定の傾斜の面を有している請求項５に記載のロータリーインパクトツール。
【請求項７】
前記ハンマーに接続されたスラストリングをさらに具備し、前記スラストリングは前記ハンマーを軸方向に移動し、そして前記アンビルと接触しないように前記カムフォロアと共に軸方向に移動するよう構成された請求項１に記載のロータリーインパクトツール。
【請求項８】
ロータリーインパクトツールのためのクラッチ機構であって、
前記クラッチ機構は、カムボールとカムフォロアと前記カムフォロアに接続された少なくとも一つのハンマーを具備し、前記カムフォロアが前記カムフォロアの表面に沿って移動する前記カムボールのための軌道と、前記カムボールに向かって前記ハンマーを付勢するスプリングとを有し、前記軌道が先の尖った頂上に延びるランプを有しており、前記ランプは前記頂上に向かって角度が増大する傾斜面を有しており、それにより、前記ロータリーインパクトツールが無負荷のとき、前記カムボールの頂上を越える移動を阻止するために、前記カムボールが頂上に近づくにつれて、前記カムボールの移動に対する抵抗を増大させ、前記ロータリーインパクトツールに負荷が加わっているとき、前記カムボールが頂上を越えて移動して、前記カムフォロアを出力軸に向かって軸方向前側に押圧し、前記ハンマーが前記出力軸を打つように、前記ランプが形成されており、
前記カムフォロアは、前記ハンマーが前記アンビルと合わずに間欠的に停止して、前記ハンマーが前記アンビルと合う位置に向かって移動する前に、前記ハンマーと前記アンビルとの間の係合状態を提供するよう形成されたクラッチ機構。
【請求項９】
前記ランプが、一定の曲率半径を有する円弧に沿って延びるよう形成された請求項８に記載のクラッチ機構。
【請求項１０】
前記ランプの曲率半径が、約８ｍｍである請求項９に記載のクラッチ機構。
【請求項１１】
前記軌道が、前記ランプから前記頂上の反対側に前記頂上から延びる下り坂部分をさらに具備する請求項８に記載のクラッチ機構。
【請求項１２】
前記軌道の前記下り坂部分が前記軌道の前記ランプに対して非対称である斜面を有している請求項１１に記載のクラッチ機構。
【請求項１３】
前記下り坂部分が実質的に一定の傾斜の面を有している請求項１２に記載のクラッチ機構。
【請求項１４】
前記ハンマーに接続されたスラストリングをさらに具備し、前記スラストリングは前記ハンマーを軸方向に移動し、そして前記アンビルと接触しないように前記カムフォロアと共に軸方向に移動するよう構成された請求項８に記載のクラッチ機構。
【請求項１５】
ハウジング、
固定要素の締め付けと緩めるために取り付けられ、軸方向外側に突出するアンビルを含む出力軸、
前記出力軸を駆動するため前記ハウジングの中に設けられたモータ、
前記モータにより駆動されるよう構成され、前記アンビルから離れるように軸方向に付勢されている少なくとも一つのハンマー、および
前記出力軸に打撃を伝えるために前記アンビルを打つように前記ハンマーを駆動するためのクラッチ機構を具備するロータリーインパクトツールであって、
前記クラッチ機構は、出力軸が無負荷のとき前記ハンマーが前記アンビルを打つように配置されておらず、そして出力軸に負荷が加わっているとき、前記ハンマーが前記アンビルを間欠的に打つために移動するように、前記出力軸に接続されており、前記クラッチ機構がカムボールとカムフォロアとを含み、前記カムフォロアが前記カムフォロアの表面に沿って移動する前記カムボールのための軌道を有し、前記軌道が平面部分と前記平面部分から頂上に延びるランプとを有しており、前記ランプは前記平面部分から前記頂上に向かって連続的に角度が増大する傾斜面を有しており、それにより、前記出力軸が無負荷のとき、前記カムボールの頂上を越える移動を阻止するために、前記カムボールが頂上に近づくにつれて、前記カムボールの移動に対する抵抗を増大させ、前記出力軸に負荷が加わっているとき、前記カムボールが頂上を越えて移動し、前記カムフォロアと前記ハンマーを軸方向前側に押圧して、前記ハンマーがアンビルを打つように、前記ランプが形成されており、
前記カムフォロアは、前記ハンマーが前記アンビルと合わずに間欠的に停止して、前記ハンマーが前記アンビルと合う位置に向かって移動する前に、前記ハンマーと前記アンビルとの間の係合状態を提供するよう形成されたロータリーインパクトツール。
【手続補正書】
【提出日】平成21年5月25日(2009.5.25)
【手続補正１】
【補正対象書類名】特許請求の範囲
【補正対象項目名】全文
【補正方法】変更
【補正の内容】
【特許請求の範囲】
【請求項１】
睫毛及び／又は眉毛に組成物を付加するためのアプリケータ（３）であって、
柄（８）と、
前記柄の一端にあるアプリケータ部材（１０）と、
を含み、
前記アプリケータ部材は、
プラスチック材料で作られた縦軸に沿って細長い支持体（１１）、
を含み、
前記支持体は、近位端で前記柄（８）に結合されており、自由遠位端を有し、更に、該支持体の前記縦軸（Ｘ）に沿って延びる２つの分枝部（１２、１３）のみを含み、該分枝部は、その間に単一の開口部（１９）を形成し、かつ一緒に該支持体の最大幅（Ｗ）を形成し、
前記アプリケータ部材は、更に
前記分枝部の長さの少なくとも半分にわたって前記開口部（１９）の上以外に延びるアプリケータ要素を列が含む、該分枝部の１つにある少なくとも１列のアプリケータ要素（２３）、
を含む、
ことを特徴とするアプリケータ。
【請求項２】
前記分枝部（１２、１３）は、それらの端部で互いに結合されていることを特徴とする請求項１に記載のアプリケータ。
【請求項３】
前記開口部（１９）は、実質的に平面であることを特徴とする請求項１又は２のいずれか１項に記載のアプリケータ。
【請求項４】
前記開口部は、前記支持体の外形と実質的に同じ形状を有していることを特徴とする請求項１から３のいずれか１項に記載のアプリケータ。
【請求項５】
前記支持体（１１）は、その幅よりも少なくとも１．５倍長いことを特徴とする請求項１から４のいずれか１項に記載のアプリケータ。
【請求項６】
前記支持体の各分枝部（１２、１３）は、少なくとも１列（２０、２１）のアプリケータ要素を含むことを特徴とする請求項１から５のいずれか１項に記載のアプリケータ。
【請求項７】
前記アプリケータ要素（３３、３４；４０、４１）は、前記支持体の２つの対向する側に延びていることを特徴とする請求項１に記載のアプリケータ。
【請求項８】
前記支持体の分枝部に沿って延びるアプリケータ要素の少なくとも１列の軸（Ｚ）は、直線的であることを特徴とする請求項１から７のいずれか１項に記載のアプリケータ。
【請求項９】
少なくとも１列の前記アプリケータ要素（２３）の各々は、前記開口部（１９）の前記平面に対する法線（Ｎ）と実質的に平行な方向に延びていることを特徴とする請求項１に記載のアプリケータ。
【請求項１０】
列の複数の連続するアプリケータ要素は、少なくとも部分的には、幾何学的分割面のいずれの側にも交互に延びることができる、ことを特徴とする請求項１から９のいずれか１項に記載のアプリケータ。
【請求項１１】
列の少なくとも２つの連続するアプリケータ要素は、アプリケータ部材が列の軸に実質的に垂直である方向に沿って観察したとき、互いにクロスオーバーしてもよいことを特徴とする請求項１から１０のいずれか１項に記載のアプリケータ。
【請求項１２】
支持体及びアプリケータ要素の少なくとも１つは、磁性粒子を含む、ことを特徴とする請求項１から１１のいずれか１項に記載のアプリケータ。
【請求項１３】
睫毛及び／又は眉毛に付加するための化粧品及び／又はケア製品を含む組成物のためのパッケージ化及びアプリケータ装置（１）であって、
請求項１から９のいずれか１項に記載のアプリケータ（３）と、
睫毛及び／又は眉毛に付加するための組成物（Ｐ）と、
を含むことを特徴とする装置。
【請求項１４】
前記組成物を収容する容器を含む、ことを特徴とする請求項１３に記載の装置。
【請求項１５】
容器は、拭き取り部材を含むことができる、ことを特徴とする請求項１４に記載の装置。
【手続補正書】
【提出日】平成21年5月25日(2009.5.25)
【手続補正１】
【補正対象書類名】特許請求の範囲
【補正対象項目名】全文
【補正方法】変更
【補正の内容】
【特許請求の範囲】
【請求項１】
超音波イメージングを実行する方法であって、  超音波システム（１００）から合成式画像情報を受け取る工程と、 前記超音波システムから非合成のカラーフロー画像情報を受け取る工程と、  受け取った前記合成式画像情報及び前記非合成のカラーフロー画像情報とを処理して、前記非合成カラーフロー・イメージングと組み合わせた合成済み超音波画像を作成する処理工程と、を含む超音波イメージング方法。
【請求項２】
前記超音波システム（１００）からパワードプラ画像情報を受け取る工程をさらに含むと共に、  前記処理工程は、該受け取ったパワードプラ画像情報を処理してパワードプラ・イメージングと組み合わせた合成済み超音波画像を作成する工程を含むことを特徴とする請求項１に記載の方法。
【請求項３】
前記超音波システム（１００）から２次元血液画像情報を受け取る工程をさらに含むと共に、  前記処理工程は、該受け取った２次元血液画像情報を処理して２次元血液イメージングと組み合わせた合成済み超音波画像を作成する工程を含むことを特徴とする請求項１に記載の方法。
【請求項４】
非合成のカラーフロー・イメージングと組み合わせた前記合成済み超音波画像を、ディスプレイ（２６８）上に、同じ関心領域に対する非合成超音波画像と共に表示する工程をさらに含むことを特徴とする請求項１に記載の方法。
【請求項５】
非合成のカラーフロー・イメージングと組み合わせた前記合成済み超音波画像を、ディスプレイ（２６８）上に、同じ関心領域に対するカラーフロー・イメージングと組み合わせた非合成の超音波画像と共に表示する工程をさらに含む請求項１に記載の方法。
【請求項６】
非合成のカラーフロー・イメージングと組み合わせた合成済み超音波画像を、ディスプレイ（２６８）上に、同じ関心領域に対する合成済み画像と共に表示する工程をさらに含む請求項１に記載の方法。
【請求項７】
前記非合成のカラーフロー画像情報が前記合成済み超音波画像の上に重ね合わされていることを特徴とする請求項１に記載の方法。
【請求項８】
超音波イメージングを実行する方法であって、  超音波システム（１００）によって空間合成式画像情報を収集する工程と、 前記超音波システムによってカラーフロー画像情報を収集する工程と、  表示のために該カラーフロー画像情報を処理する工程と、  ユーザ入力に基づいて該空間合成式画像情報を処理する工程と、  ユーザ入力に基づいて前記収集され処理済みの収集情報からの複数の画像を表示する工程と、を含み、 前記表示される画像は、空間合成済み画像と未空間合成画像のうちの少なくとも一方と、並びに、カラーフローを重ね合わせた空間合成済み画像とカラーフローを重ね合わせた未空間合成画像のうちの少なくとも一方であることを特徴とする超音波イメージング方法。
【請求項９】
収集した空間合成式画像情報の各フレーム（２５６）と、収集したカラーフロー画像情報の各フレーム（２５４）とを、別々に保存する工程をさらに含む請求項８に記載の方法。
【請求項１０】
超音波システム（１００）の、超音波情報を収集する収集システム（２５０）であって、  カラーフロー・イメージング情報及び空間合成式画像情報を収集するためのデータ収集コンポーネント（２５２）と、  該収集したカラーフロー・イメージング情報及び空間合成式画像情報のフレーム（２５４、２５６）を保存するメモリ（２５８）と、 前記空間合成式画像情報のフレームを処理する合成処理コンポーネント（２６４）と、 非空間合成情報のフレームを処理する未合成処理コンポーネント（２６６）と、  該合成処理コンポーネントと未合成処理コンポーネントのうちの少なくとも一方によって処理させるフレームを該メモリから選択するスイッチ（２６２）と、  カラーフロー画像情報のフレームを処理するカラーフロー処理コンポーネント（２７０）と、 該カラーフロー処理コンポーネントにより処理された収集情報からの複数の画像を、ユーザ入力に基づいて表示するディスプレイ（２６８）と、を備え、 前記ディスプレイに表示させる画像は、空間合成済み画像と未空間合成画像のうちの少なくとも一方と、並びに、カラーフローを重ね合わせた空間合成済み画像とカラーフローを重ね合わせた未空間合成画像のうちの少なくとも一方であることを特徴とする超音波情報収集システム。
【手続補正２】
【補正対象書類名】明細書
【補正対象項目名】０００３
【補正方法】変更
【補正の内容】
【０００３】  さらに、走査画像の品質（例えば、分解能）を改善するための様々な方法が知られている。例えば、超音波システムによって空間合成（ｓｐａｔｉａｌ ｃｏｍｐｏｕｎｄｉｎｇ）を提供することがある。具体的には、空間合成は、様々な幾何学構成で収集した画像（例えば、リニア探触子上の様々な角度における画像）からなるフレームを単一の複合画像になるように組み合わせる。この合成済み画像によれば、コントラスト分解能の改善によって従来の走査すなわち未合成走査と比較して改良された画質を提供することができる。しかし、空間合成した画像を収集する方式（とりわけ、空間合成に必要なデータを収集する方式）のため、並びにリアルタイム画像の作成に必要な処理デマンドのために、空間合成を別の動作モードと組み合わせて使用することは困難である。例えば、空間合成をカラーフロー・イメージング、パワードプラ、あるいは例えば血流速度情報を示す別の２次元（２Ｄ）画像モードと組み合わせて使用することは困難である。【特許文献１】米国特許第５７８２７６６号
【特許文献２】米国特許第６９５１５４２号
【特許文献３】米国特許第６３９０９８０号
【手続補正書】
【提出日】平成21年9月17日(2009.9.17)
【手続補正１】
【補正対象書類名】明細書
【補正対象項目名】特許請求の範囲
【補正方法】変更
【補正の内容】
【特許請求の範囲】
【請求項１】  複数の記録素子を有した記録ヘッドを用い、該記録ヘッドを記録媒体に対して走査し記録を行う記録装置において、
記録ヘッドの記録走査に先立ち、前記記録素子の駆動回数に対応した記録ドット数を、前記複数の記録素子を複数の群に分割した場合の各群の記録素子が１回の前記記録走査によって通過するバンド毎に加算集計するカウント手段と、
該カウント手段が加算集計する記録ドット数が、所定ドット数を超えているか否かを判断する判断手段と、
前記判断手段によって前記記録ドット数が前記所定ドット数を越えていると判断されたとき、前記所定ドット数までの加算集計に係わったバンドを選択し、該選択したバンドに対応する記録素子を用いて前記記録走査を行う記録制御手段と、
を備えたことを特徴とする記録装置。
【請求項２】  前記記録制御手段が当該記録走査において選択したバンドに対応した領域分だけ記録媒体を搬送する搬送制御手段を更に有することを特徴とする請求項１に記載の記録装置。
【請求項３】  前記カウント手段は、前記加算集計を前記記録媒体の搬送方向の下流側に配置されるバンドから順に実行し、
前記搬送制御手段は、前記記録制御手段による記録の後に記録媒体の搬送を行うことを特徴とする請求項２に記載の記録装置。
【請求項４】  前記カウント手段は、前記加算集計を前記記録媒体の搬送方向の上流側に配置されるバンドから順に実行し、
前記搬送制御手段は、前記記録制御手段による記録に先立って記録媒体の搬送を行うことを特徴とする請求項２に記載の記録装置。
【請求項５】  前記記録ヘッドの温度を検出する温度検出手段をさらに備え、前記判断手段は、前記温度検出手段が検出した記録ヘッドの温度に応じて前記所定ドット数を変更することを特徴とする請求項１ないし４のいずれかに記載の記録装置。
【請求項６】  前記記録ヘッドは、熱エネルギーを利用してインクに気泡を生じさせ、該気泡の圧力によりインクを吐出して記録を行うことを特徴とする請求項１ないし５のいずれかに記載の記録装置。
【請求項７】  複数の記録素子を有した記録ヘッドを用い、該記録ヘッドを記録媒体に対して走査し記録を行う記録方法において、
記録ヘッドの記録走査に先立ち、前記記録素子の駆動回数に対応した記録ドット数を、前記複数の記録素子を複数の群に分割した場合の各群の記録素子が１回の前記記録走査によって通過するバンド毎に加算集計する集計ステップと、
前記加算集計した記録ドット数が、所定ドット数を超えているか否かを判断する判断ステップと、
前記判断によって前記記録ドット数が前記所定ドット数を越えていると判断されたとき、前記所定ドット数までの加算集計に係わったバンドを選択し、該選択したバンドに対応する記録素子を用いて前記記録走査を行う記録制御ステップと、
を備えたことを特徴とする記録方法。
【請求項８】  前記記録ステップにおける記録走査の際に選択されたバンドに対応した領域分だけ記録媒体を搬送する搬送ステップを更に有することを特徴とする請求項７に記載の記録方法。
【請求項９】  前記集計ステップにおいては、前記加算集計を前記記録媒体の搬送方向の下流側に配置されるバンドから順に実行し、
前記記録ステップの後に前記搬送ステップを実行することを特徴とする請求項８に記載の記録方法。
【請求項１０】  前記集計ステップにおいては、前記加算集計を前記記録媒体の搬送方向の上流側に配置されるバンドから順に実行し、
前記記録ステップに先立って前記搬送ステップを実行することを特徴とする請求項８に記載の記録方法。
【請求項１１】  前記記録ヘッドの温度を検出するステップをさらに備え、前記判断ステップにおいて、前記検出した記録ヘッドの温度に応じて前記所定ドット数を変更することを特徴とする請求項７ないし１０のいずれかに記載の記録方法。
【手続補正２】
【補正対象書類名】明細書
【補正対象項目名】００１５
【補正方法】変更
【補正の内容】
【００１５】
【課題を解決するための手段】
そのために本発明の一形態では、複数の記録素子を有した記録ヘッドを用い、該記録ヘッドを記録媒体に対して走査し記録を行う記録装置において、記録ヘッドの記録走査に先立ち、前記記録素子の駆動回数に対応した記録ドット数を、前記複数の記録素子を複数の群に分割した場合の各群の記録素子が１回の前記記録走査によって通過するバンド毎に加算集計するカウント手段と、該カウント手段が加算集計する記録ドット数が、所定ドット数を超えているか否かを判断する判断手段と、前記判断手段によって前記記録ドット数が前記所定ドット数を越えていると判断されたとき、前記所定ドット数までの加算集計に係わったバンドを選択し、該選択したバンドに対応する記録素子を用いて前記記録走査を行う記録制御手段と、を備えたことを特徴とする。
【手続補正３】
【補正対象書類名】明細書
【補正対象項目名】００１６
【補正方法】削除
【補正の内容】
【手続補正４】
【補正対象書類名】明細書
【補正対象項目名】００１９
【補正方法】変更
【補正の内容】
【００１９】
また、本発明の他の形態では、複数の記録素子を有した記録ヘッドを用い、該記録ヘッドを記録媒体に対して走査し記録を行う記録方法において、記録ヘッドの記録走査に先立ち、前記記録素子の駆動回数に対応した記録ドット数を、前記複数の記録素子を複数の群に分割した場合の各群の記録素子が１回の前記記録走査によって通過するバンド毎に加算集計する集計ステップと、前記加算集計した記録ドット数が、所定ドット数を超えているか否かを判断する判断ステップと、前記判断によって前記記録ドット数が前記所定ドット数を越えていると判断されたとき、前記所定ドット数までの加算集計に係わったバンドを選択し、該選択したバンドに対応する記録素子を用いて前記記録走査を行う記録制御ステップと、を備えたことを特徴とする。
【手続補正書】
【提出日】平成21年5月12日(2009.5.12)
【手続補正１】
【補正対象書類名】明細書
【補正対象項目名】発明の名称
【補正方法】変更
【補正の内容】
【発明の名称】半導体装置
【手続補正２】
【補正対象書類名】特許請求の範囲
【補正対象項目名】全文
【補正方法】変更
【補正の内容】
【特許請求の範囲】
【請求項１】
制御レジスタと、ＣＰＵと、メモリとを有し、
前記メモリは、ライトワンスメモリであり暗号化プログラム及び復号化プログラムが記録される領域を複数有し、
前記ＣＰＵは、前記制御レジスタに暗号化情報が書き込まれると、前記メモリに記録されている前記復号化プログラムを起動して、前記暗号化情報を復号することを特徴とする半導体装置。
【請求項２】
アンテナと共振容量を有する共振回路と、制御レジスタと、ＣＰＵと、メモリとを有し、
前記メモリは、ライトワンスメモリであり暗号化プログラム及び復号化プログラムが記録される領域を複数有し、
前記共振回路は、電波を受信し、前記アンテナの両端に交流信号を発生させる機能を有し、
前記ＣＰＵは、前記制御レジスタに暗号化情報が書き込まれると、前記メモリに記録されている前記復号化プログラムを起動して、前記暗号化情報を復号することを特徴とする半導体装置。
【請求項３】
アンテナと共振容量を有する共振回路と、電力生成回路と、制御レジスタと、ＣＰＵと、メモリとを有し、
前記メモリは、ライトワンスメモリであり暗号化プログラム及び復号化プログラムが記録される領域を複数有し、
前記共振回路は、電波を受信し、前記アンテナの両端に交流信号を発生させる機能を有し、
前記電力生成回路は、前記交流信号をダイオードで整流し、容量を用いて平滑化することによって電力を生成する機能を有し、
前記ＣＰＵは、前記制御レジスタに暗号化情報が書き込まれると、前記メモリに記録されている前記復号化プログラムを起動して、前記暗号化情報を復号することを特徴とする半導体装置。
【請求項４】
アンテナと共振容量を有する共振回路と、電力生成回路と、クロック生成回路と、制御レジスタと、ＣＰＵと、メモリとを有し、
前記メモリは、ライトワンスメモリであり暗号化プログラム及び復号化プログラムが記録される領域を複数有し、
前記共振回路は、電波を受信し、前記アンテナの両端に交流信号を発生させる機能を有し、前記電力生成回路は、前記交流信号をダイオードで整流し、容量を用いて平滑化することによって電力を生成する機能を有し、
前記クロック生成回路は、前記交流信号を基に、クロック信号を生成する機能を有し、
前記ＣＰＵは、前記制御レジスタに暗号化情報が書き込まれると、前記メモリに記録されている前記復号化プログラムを起動して、前記暗号化情報を復号することを特徴とする半導体装置。
【請求項５】
アンテナと共振容量を有する共振回路と、電力生成回路と、クロック生成回路と、復調回路と、データ抽出回路と、制御レジスタと、ＣＰＵと、メモリとを有し、
前記メモリは、ライトワンスメモリであり暗号化プログラム及び復号化プログラムが記録される領域を複数有し、
前記共振回路は、電波を受信し、前記アンテナの両端に交流信号を発生させる機能を有し、
前記電力生成回路は、前記交流信号をダイオードで整流し、容量を用いて平滑化することによって電力を生成する機能を有し、
前記クロック生成回路は、前記交流信号を基に、クロック信号を生成する機能を有し、
前記復調回路は、前記交流信号を復調し、前記データ抽出回路へ復調した復調データを送る機能を有し、
前記ＣＰＵは前記制御レジスタに暗号化情報が書き込まれると、前記メモリに記録されている前記復号化プログラムを起動して、前記暗号化情報を復号することを特徴とする半導体装置。
【請求項６】
アンテナと共振容量を有する共振回路と、電力生成回路と、クロック生成回路と、復調回路と、変調回路と、データ抽出回路と、制御レジスタと、ＣＰＵと、メモリとを有し、
前記メモリは、ライトワンスメモリであり暗号化プログラム及び復号化プログラムが記録される領域を複数有し、
前記共振回路は、電波を受信し、前記アンテナの両端に交流信号を発生させる機能を有し、
前記電力生成回路は、前記交流信号をダイオードで整流し、容量を用いて平滑化することによって電力を生成する機能を有し、
前記クロック生成回路は、前記共振回路に発生した交流信号を基に、クロック信号を生成する機能を有し、
前記復調回路は、前記交流信号を復調し、前記データ抽出回路へ復調した復調データを送る機能を有し、
前記データ抽出回路は、前記復調データから暗号化情報を抽出し、前記制御レジスタに抽出した暗号化情報を書き込む機能を有し、
前記変調回路は、前記制御レジスタの情報が符号化された符号化信号を変調し、変調した変調データを前記共振回路に出力する機能を有し、
前記ＣＰＵは前記制御レジスタに暗号化情報が書き込まれると、前記メモリに記録されている前記復号化プログラムを起動して、前記暗号化情報を復号することを特徴とする半導体装置。
【請求項７】
請求項１乃至請求項６のいずれか一項において、
前記メモリは、暗号化プログラムを割り当てる少なくとも第一および第二の領域を有し、前記暗号化プログラムを割り当てる第一の領域に第一の暗号化プログラムを書き込み、前記暗号化プログラムを割り当てる第二の領域に第二の暗号化プログラムを書き込むことを特徴とする半導体装置。
【請求項８】
請求項１乃至請求項７のいずれか一項において、
前記メモリは、復号化プログラムを割り当てる少なくとも第一および第二の領域を有し、前記復号化プログラムを割り当てる第一の領域に第一の復号化プログラムが書き込み、前記復号化プログラムを割り当てる第二の領域に第二の復号化プログラムを書き込むことを特徴とする半導体装置。
【請求項９】
無線通信により情報の交信ができる回路と、ＣＰＵと、メモリとを有し、
前記メモリは、ライトワンスメモリであり暗号化プログラム及び復号化プログラムが記録される領域を複数有することを特徴とする半導体装置。
【請求項１０】
制御レジスタと、ＣＰＵと、メモリとを有し、
前記メモリは暗号化プログラム及び複合化プログラムが記録される領域を複数有し、
前記ＣＰＵは、前記制御レジスタに暗号化情報が書き込まれると、前記メモリに記録されている前記復号化プログラムを起動して、前記暗号化情報を復号することを特徴とする半導体装置。
【手続補正書】
【提出日】平成21年5月28日(2009.5.28)
【手続補正１】
【補正対象書類名】特許請求の範囲
【補正対象項目名】全文
【補正方法】変更
【補正の内容】
【特許請求の範囲】
【請求項１】
基板と、
前記基板上に設けられた複数のトランジスタを有する素子群と、
前記素子群の上方に設けられたアンテナとして機能する第１の導電膜と前記第１の導電膜を囲んで配置された第２の導電膜とを有し、
前記第１の導電膜は、コイル状に設けられ、
前記第２の導電膜は、第１の端部と第２の端部を有し、
前記第１の端部および前記第２の端部がスイッチング手段を介して接続されていることを特徴とする半導体装置。
【請求項２】
基板と、
前記基板上に設けられた複数のトランジスタを有する素子群と、
前記素子群の上方に設けられたアンテナとして機能する第１の導電膜と、
第１の端部および第２の端部を有し且つ前記第１の導電膜を囲んで配置された第２の導電膜と、
前記第１の端部および前記第２の端部を覆うように絶縁膜を介して設けられた第３の導電膜とを有し、
前記第１の導電膜は、コイル状に設けられ且つ前記第１の導電膜の両端部がそれぞれ前記素子群と電気的に接続し、
前記第１の端部と前記第２の端部が絶縁されていることを特徴とする半導体装置。
【請求項３】
基板と、
前記基板上に設けられた複数のトランジスタを有する素子群と、
前記素子群の上方に設けられたアンテナとして機能する第１の導電膜と、
第１の端部および第２の端部を有し且つ前記第１の導電膜を囲んで配置された第２の導電膜と、
前記第１の端部および前記第２の端部を覆うように絶縁膜を介して設けられた第３の導電膜とを有し、
前記第１の導電膜は、コイル状に設けられ且つ前記第１の導電膜の両端部がそれぞれ前記素子群と電気的に接続し、
前記第１の端部と前記第２の端部とを電気的に接続するか否かによって、通信距離の制御を行うことを特徴とする半導体装置。
【請求項４】
基板と、
前記基板上に設けられた複数のトランジスタを有する素子群と、
前記素子群の上方に設けられたアンテナとして機能する第１の導電膜と、
第１の端部および第２の端部を有し且つ前記第１の導電膜を囲んで配置された第２の導電膜と、
前記第１の端部および前記第２の端部を覆うように絶縁膜を介して設けられた第３の導電膜とを有し、
前記第１の導電膜は、コイル状に設けられており、
前記第１の端部と前記第２の端部のいずれか一方と前記第３の導電膜とが電気的に接続し、他方が絶縁されていることを特徴とする半導体装置。
【請求項５】
基板と、
前記基板上に設けられた複数のトランジスタを有する素子群と、
前記素子群の上方に設けられたアンテナとして機能する第１の導電膜と、
第１の端部および第２の端部を有し且つ前記第１の導電膜を囲んで配置された第２の導電膜と、
前記第１の端部および前記第２の端部を覆うように絶縁膜を介して設けられた第３の導電膜とを有し、
前記第１の導電膜は、コイル状に設けられており、
前記第１の端部及び前記第２の端部と前記第３の導電膜とを電気的に接続することによって、通信距離の制御を行うことを特徴とする半導体装置。
【請求項６】
基板と、
前記基板上に設けられた複数のトランジスタを有する素子群と、
前記素子群の上方に設けられたアンテナとして機能する第１の導電膜と前記第１の導電膜を囲んで配置された環状の第２の導電膜とを有し、
前記第１の導電膜は、コイル状に設けられており、
前記第２の導電膜の一部を除去することによって、通信距離を制御することを特徴とする半導体装置。
【請求項７】
基板と、
前記基板上に設けられた複数のトランジスタを有する素子群と、
前記素子群の上方に設けられたアンテナとして機能する第１の導電膜と前記第１の導電膜を囲んで配置された第２の導電膜とを有し、
前記第１の導電膜は、コイル状に設けられ、
前記第２の導電膜は、第１の端部と第２の端部を有し且つ前記第１の端部および前記第２の端部が前記複数のトランジスタのいずれかを介して環状に設けられていることを特徴とする半導体装置。
【請求項８】
基板と、
前記基板上に設けられた複数のトランジスタを有する素子群と、
前記素子群の上方に設けられたアンテナとして機能する第１の導電膜と前記アンテナとして機能する第１の導電膜を囲んで配置された複数の第２の導電膜とを有し、
前記アンテナとして機能する第１の導電膜は、コイル状に設けられ、
前記複数の第２の導電膜の各々は、第１の端部と第２の端部を有し且つ前記第１の端部および前記第２の端部が前記複数のトランジスタのいずれかのトランジスタを介して環状に設けられていることを特徴とする半導体装置。
【請求項９】
請求項７または請求項８において、
前記第１の端部および前記第２の端部の一方が前記複数のトランジスタにおけるいずれかのトランジスタのソース領域と接続され、且つ他方がドレイン領域と接続されていることを特徴とする半導体装置。
【請求項１０】
請求項１乃至請求項９のいずれか一項において、
前記素子群は、不揮発性のメモリを有していることを特徴とする半導体装置。
【請求項１１】
請求項１０において、
前記メモリは、
第１の方向に延びた複数のビット線と、前記第１の方向と垂直な第２の方向に延びた複数のワード線と、
記憶素子を備えたメモリセルと、
複数の前記メモリセルからなるメモリセルアレイとを有し、
前記記憶素子は、前記ビット線を構成する導電層と前記ワード線を構成する導電層との間に設けられた有機化合物層を有していることを特徴とする半導体装置。
【手続補正書】
【提出日】平成21年3月13日(2009.3.13)
【手続補正１】
【補正対象書類名】特許請求の範囲
【補正対象項目名】全文
【補正方法】変更
【補正の内容】
【特許請求の範囲】
【請求項１】
無線信号を送受信するアンテナと、
前記アンテナに電気的に接続された高周波回路と、
前記高周波回路の出力が入力されるロジック部と、
前記ロジック部の出力が記憶されるメモリ部と、
前記ロジック部の出力が入力される表示部と、を有することを特徴とする端末装置。
【請求項２】
無線信号を送受信するアンテナと、
前記アンテナに電気的に接続された高周波回路と、
前記高周波回路の出力が入力されるロジック部と、
前記ロジック部の出力が記憶されるメモリ部と、
前記ロジック部の出力が入力される表示部と、
外光の光量を検知し、検知された光量に基づいて前記表示部の輝度を調節する光センサと、を有することを特徴とする端末装置。
【請求項３】
請求項１又は請求項２において、
前記メモリ部は、情報の書き換えが可能な第１のメモリ部と、情報の書き換えが不可能な第２のメモリ部とを有することを特徴とする端末装置。
【請求項４】
請求項１又は請求項２において、
前記メモリ部は、情報の書き換えが可能な第１のメモリ部と、情報の書き換えが不可能な第２のメモリ部とを有し、
前記第１のメモリ部において、前記無線信号から得られた情報が書き込まれ、当該情報が読み出され、
前記第２のメモリ部において、予め記憶された情報が読み出されることを特徴とする端末装置。
【請求項５】
請求項１乃至請求項４のいずれか一項において、
前記高周波回路、前記ロジック部、前記メモリ部及び前記表示部はそれぞれ、絶縁基板上に形成されたトランジスタを有することを特徴とする端末装置。
【請求項６】
無線信号を送受信するアンテナと、
前記アンテナに電気的に接続された高周波回路と、
前記高周波回路の出力が入力されるロジック部と、
前記ロジック部の出力が記憶されるメモリ部と、
前記ロジック部の出力が入力される表示部と、を有する端末装置と、
前記端末装置との間で情報の送受信を行う通信用リーダライタと、
前記通信用リーダライタに電気的に接続されたホストコンピュータと、
前記ホストコンピュータと情報の入出力を行う情報通信手段と、を有し、
前記端末装置は、前記情報通信手段からの情報を、前記表示部に表示する機能を有することを特徴とする通信システム。
【請求項７】
無線信号を送受信するアンテナと、
前記アンテナに電気的に接続された高周波回路と、
前記高周波回路の出力が入力されるロジック部と、
前記ロジック部の出力が記憶されるメモリ部と、
前記ロジック部の出力が入力される表示部と、
外光の光量を検知し、検知された光量に基づいて前記表示部の輝度を調節する光センサと、を有する端末装置と、
前記端末装置との間で情報の送受信を行う通信用リーダライタと、
前記通信用リーダライタに電気的に接続されたホストコンピュータと、
前記ホストコンピュータと情報の入出力を行う情報通信手段と、を有し、
前記端末装置は、前記情報通信手段からの情報を、前記表示部に表示する機能を有することを特徴とする通信システム。
【請求項８】
請求項６又は請求項７において、
前記メモリ部は、情報の書き換えが可能な第１のメモリ部と情報の書き換えが不可能な第２のメモリ部とを有し、
前記第１のメモリ部において、前記無線信号から得られた情報が書き込まれ、当該情報が読み出され、
前記第２のメモリ部において、予め記憶された情報が読み出されることを特徴とする通信システム。
【請求項９】
請求項６乃至請求項８のいずれか一項において、
前記通信用リーダライタは、メモリ部とロジック部を有し、
前記ホストコンピュータと情報のやりとりをすることなく、前記通信用リーダライタと前記端末装置との間で情報の送受信を行うことを特徴とする通信システム。
【手続補正書】
【提出日】平成21年1月30日(2009.1.30)
【手続補正１】
【補正対象書類名】明細書
【補正対象項目名】００３３
【補正方法】変更
【補正の内容】
【００３３】
また、基部１２１の中央部付近であって一方の側部側で、中央部より両端部側には、扁平状付勢手段４の一端部を取り付けるための第１取付孔１２７が２つ設けられている。これら第１取付孔１２７に取付シャフト１１５が取り付けられる。取付シャフト１１５は、第１取付孔１２７の径より大きな寸法の径の２つの大径部及びこれら大径部間に設けられ大径部より径が小さい小径部からなるシャフト部１１５ａと、このシャフト部１１５ａに同軸上に設けられ、第１取付孔１２７に挿入されて取り付けられる取付部１１５ｂとからなる。
【手続補正書】
【提出日】平成21年4月8日(2009.4.8)
【手続補正１】
【補正対象書類名】特許請求の範囲
【補正対象項目名】全文
【補正方法】変更
【補正の内容】
【特許請求の範囲】
【請求項１】
システムであって、
圧縮ディジタルＴＶデータを変調し、変調された信号を生成する送信機、
前記変調された信号を受信し、
ＱＡＭおよびＰＳＫを含む複数の変調フォーマットから選択された一つの変調フォーマットに従って、
多種類の伝送チャネルの少なくとも一つから入力された変調された信号であって、複数の変調フォーマットのうちのひとつの変調フォーマットを表し、および、少なくとも一つのパンクチャド符号化フォーマットを含む複数の符号化フォーマットのうちの少なくとも一つの符号化フォーマットで符号化された圧縮されたディジタル・データを表す変調された信号、
を選択的に復調して、復調された信号を生成する
復調器、および
前記圧縮されたディジタル・データが符号化されている前記少なくとも一つの符号化フォーマットを決定し、前記決定された符号化フォーマットに従って、前記復調された信号を復号する復号器
を備えることを特徴とするシステム。
【手続補正２】
【補正対象書類名】明細書
【補正対象項目名】発明の名称
【補正方法】変更
【補正の内容】
【発明の名称】ディジタルＴＶデータを変調し、復調し、復号するシステム
【手続補正書】
【提出日】平成21年5月13日(2009.5.13)
【手続補正１】
【補正対象書類名】明細書
【補正対象項目名】発明の名称
【補正方法】変更
【補正の内容】
【発明の名称】半導体装置
【手続補正２】
【補正対象書類名】特許請求の範囲
【補正対象項目名】全文
【補正方法】変更
【補正の内容】
【特許請求の範囲】
【請求項１】
アンテナを備え無線通信により信号の送受信を行う半導体装置であって、
前記アンテナにより受信した信号から駆動電力を生成する整流回路と、
前記アンテナにより受信した信号を復調する復調回路と、
該復調した信号に同期したクロック信号を生成するクロック生成回路とを有し、
前記クロック生成回路は、ＰＬＬ回路と、発振回路と、判定回路と、スイッチとを有し、
前記判定回路は、前記クロック生成回路の信号入力部において、受信開始信号の受信から受信終了信号の受信までの第１の期間と、前記受信開始信号の受信から前記受信終了信号の受信以外の第２の期間を判定する回路であり、
前記スイッチは、前記クロック生成回路の信号出力部に電気的に接続され、前記第１の期間において前記ＰＬＬ回路との接続を選択し、前記第２の期間において前記発振回路との接続を選択することを特徴とする半導体装置。
【請求項２】
アンテナを備え無線通信により信号の送受信を行う半導体装置であって、
前記アンテナにより受信した信号から駆動電力を生成する整流回路と、
前記アンテナにより受信した信号を復調する復調回路と、
該復調した信号に同期したクロック信号を生成するクロック生成回路とを有し、
前記クロック生成回路は、ＰＬＬ回路と、発振回路と、判定回路と、スイッチとを有し、
前記判定回路は、前記クロック生成回路の信号入力部において、受信開始信号の受信から受信終了信号の受信までの第１の期間と、前記受信開始信号の受信から前記受信終了信号の受信以外の第２の期間を判定する回路であり、
前記スイッチは、前記ＰＬＬ回路の信号入力部に電気的に接続され、前記第１の期間においては前記クロック生成回路の入力信号を選択し、前記第２の期間においては前記発振回路の信号を選択することを特徴とする半導体装置。
【請求項３】
請求項１または２において、
前記ＰＬＬ回路は、位相比較器、ループ・フィルタ、電圧制御発振器、及び分周器を有することを特徴とする半導体装置。
【請求項４】
請求項３において、
前記ＰＬＬ回路は、プリスケーラまたはスワローカウンタを有することを特徴とする半導体装置。
【請求項５】
請求項１乃至４のいずれか一項において、
前記発振回路は、リングオシレーターであることを特徴とする半導体装置。